(57)【要約】  マルチモードハンドセットのためにワイヤレスＬＡＮネットワークを電力効率に優れた方法で検出する方法及びシステム。この方法では、セルラー及びワイヤレスＬＡＮに対応するマルチモードハンドセットにおいて、セルラーインターフェイスはワイヤレスＬＡＮ（ＷＬＡＮ）ベースのインターフェイスよりもバッテリのエネルギーに対する要求が低いという事実を利用して、そのようなハンドセットのスタンバイ時間を延長する。したがってこの方法では、セルラーインターフェイスをワイヤレスＬＡＮインターフェイスのための常時オンのプロキシとして使用して通信セッションの最初のパケットを受信し、それらの最初の１つ又は複数のパケットを使用してハンドセットのワイヤレスＬＡＮとのインターフェイスをアクティブ化する。【選択図】  図１
2009521879.tif 000002
【特許請求の範囲】
【請求項１】
第１ネットワークに接続するための第１ワイヤレスインターフェイスと、第２ネットワークに接続するための第２ワイヤレスインターフェイスとを有する電力効率に優れた通信デバイスのための方法であって、
前記第１ワイヤレスインターフェイスを非アクティブ化するステップと、
前記第２ネットワーク上の前記第２ワイヤレスインターフェイスで、前記第１ワイヤレスインターフェイスを指定するデータパケットを受信するステップと、
前記第１ワイヤレスインターフェイスをアクティブ化するステップと、
前記第１インターフェイスを前記第１ネットワークに接続するステップと、
前記第１ネットワーク上の前記第１ワイヤレスインターフェイスを通じて、前記データパケットに応答するステップと
を含む方法。
【請求項２】
第１ネットワークに接続するための第１ワイヤレスインターフェイスと、第２ネットワークに接続するための第２ワイヤレスインターフェイスとを有する通信デバイスにＳＩＰサービスを提供するための方法であって、
アクティブ状態及び非アクティブ状態のうちの一方である前記通信デバイスの電力状態を保持するステップと、
前記第１インターフェイスへの接続を求める要求を表すメッセージを受信するステップと、
保持される前記電力状態から、前記通信デバイスが前記アクティブ状態であるか否かを判定するステップと、
前記通信デバイスが前記アクティブ状態である場合に、前記第１ワイヤレスインターフェイスに前記メッセージを配信し、前記通信デバイスが前記アクティブ状態ではない場合に、前記第２ワイヤレスインターフェイスにＳＩＰサービスを提供するサーバに前記メッセージを転送するステップと
を含む方法。
【請求項３】
通信サービスを提供するシステムであって、
第２ワイヤレスインターフェイスを有する通信デバイスにより、第１ワイヤレスインターフェイスを使用してアクセス可能な第１通信ネットワークと、
前記通信デバイスにより、前記第２ワイヤレスインターフェイスを使用してアクセス可能な第２通信ネットワークであって、
前記第２通信ネットワーク上で前記通信デバイスに通信サービスを提供し、前記通信デバイスの前記第２ワイヤレスインターフェイスの電力状態と、前記通信デバイスの前記第１ワイヤレスインターフェイスの識別情報とを保持する第１サーバと、
前記第１通信ネットワーク上で前記通信デバイスに通信サービスを提供する第２サーバと
を備える第２通信ネットワークと
を具備し、
前記第１サーバが、通信デバイスの前記第２ワイヤレスインターフェイスによって受信されるように指定されたメッセージを受信するときに、前記第１サーバが、前記通信デバイスの前記第２ワイヤレスインターフェイスの前記電力状態を判定し、前記第２ワイヤレスインターフェイスの前記電力状態が非アクティブ状態の場合は、前記第１サーバが、前記第１ワイヤレスインターフェイスの識別情報を使用して前記メッセージを前記第２サーバに転送する、
システム。
【請求項４】
アクティブ化及び非アクティブ化することが可能である、第１ネットワークに接続するための第１ワイヤレスインターフェイスと、
第２ネットワークに接続するための第２ワイヤレスインターフェイスと、
前記第１ワイヤレスインターフェイスを指定するデータパケットが前記第２ワイヤレスインターフェイスで受信されたときに、
前記第１ワイヤレスインターフェイスをアクティブ化するステップと、
前記第１インターフェイスを前記第１ネットワークに接続するステップと、
前記第１ネットワーク上の前記第１ワイヤレスインターフェイスを通じて前記データパケットに応答するステップと
を実行する手段と
を備える通信デバイス。
【請求項５】
第１ネットワークに接続するための第１ワイヤレスインターフェイスと、第２ネットワークに接続するための第２ワイヤレスインターフェイスとを有する通信デバイスにＳＩＰサービスを提供するためのサーバであって、
アクティブ状態及び非アクティブ状態のうちの一方である前記通信デバイスの電力状態を保持するための手段と、
前記第１インターフェイスへの接続を求める要求を表すメッセージを受信するための手段と、
保持される前記電力状態から、前記通信デバイスが前記アクティブ状態であるか否かを判定するための手段と、
前記通信デバイスが前記アクティブ状態である場合に、前記第１ワイヤレスインターフェイスに前記メッセージを配信するための手段と、
前記通信デバイスが前記アクティブ状態ではない場合に、前記第２ワイヤレスインターフェイスにＳＩＰサービスを提供するサーバに前記メッセージを転送するための手段と
を備えるサーバ。
【発明の詳細な説明】
【関連出願の相互参照】
【０００１】
本出願は、２００５年１２月２１日に出願された「Ｍｅｔｈｏｄ  ａｎｄ  Ａｐｐａｒａｔｕｓ  ｆｏｒ  Ｗｉｒｅｌｅｓｓ  ＬＡＮ  Ｎｅｔｗｏｒｋ  Ｄｅｔｅｃｔｉｏｎ」という名称の米国仮特許出願（「仮出願」）第６０／７５２９９４号に関連し、その優先権を主張する。この仮出願を本出願に全体として引用して援用する。
【発明の分野】
【０００２】
本発明は、モバイル通信デバイスに関する。特に、本発明は、セルラー通信及びワイヤレスローカルエリアネットワーク（ＷＬＡＮ）通信の両方に対応するマルチモード又はデュアルモードのワイヤレスデバイスに関する。
【関連技術の説明】
【０００３】
マルチモード又はデュアルモードのハンドセット（すなわち、セルラー通信及びワイヤレスＬＡＮ通信の両方に対応するハンドセット）は、近年普及しつつある。家庭、企業及び都市でワイヤレスＬＡＮネットワークが導入されているため、デュアルモードハンドセットの利用者は、屋内利用及び屋外利用の両方で、広域を網羅するモバイル性、より高速なネットワーク、より高いアクセスレート及びより安価な料金を享受することできる。一方、デュアルモードハンドセットに移植され、デュアルモードハンドセットで実行されるインターネットベースのアプリケーションが増えている。このようなアプリケーションには、例としてＷｅｂブラウジングアプリケーションやＶｏｉｃｅ−ｏｖｅｒ−ＩＰ（ＶｏＩＰ）アプリケーションがある。したがって、マルチモード又はデュアルモードのハンドセットの利用者は、ブロードバンドワイヤレスアクセスを利用できる場所ならどこでも、インターネットアクセスを享受できる。
【０００４】
ＷＬＡＮは、高速なネットワークアクセスとより安価なサービスを提供するが、ワイヤレスＬＡＮ通信には、携帯電話やコードレス電話よりも高い電力が必要である。電力消費は、ハンドヘルドデバイス及び電力リソース上の制約を受けるその他のデバイスに関する重大な設計上の考慮事項である。ワイヤレスＬＡＮネットワークにおける従来技術の電力管理方式が知られている。たとえば、ＩＥＥＥ  ８０２．１１標準では、ワイヤレスＬＡＮネットワークにおける電力管理のための３つの基本モード、すなわち「ウェイクアップ」モード、「スリープ」モード（「休止」モードともいう）及び省電力ポーリングモードが定義されている。ＩＥＥＥ  ８０２．１１標準には、これら３つのモード間で切り替えを行うための２つの方式、すなわち自動省電力配信（ＡＰＳＤ）及び非定期自動省電力配信（Ｕ−ＡＰＳＤ）がある（たとえば、２００５年７月１２日に発行された「Ｕｎｓｃｈｅｄｕｌｅｄ  Ｐｏｗｅｒ  Ｓａｖｅ  Ｄｅｌｉｖｅｒｙ  Ｍｅｔｈｏｄ  Ｉｎ  Ａ  Ｗｉｒｅｌｅｓｓ  Ｌｏｃａｌ  Ａｒｅａ  Ｎｅｔｗｏｒｋ  Ｆｏｒ  Ｒｅａｌ  Ｔｉｍｅ  Ｃｏｍｍｕｎｉｃａｔｉｏｎ」という名称の米国特許第６９１７５９８号を参照されたい）。ＡＰＳＤ方式の下では、ＷＬＡＮクライアントは、スリープモードからウェイクアップモードに定期的に切り替わって、ＷＬＡＮクライアントがスリープモードの間にアクセスポイント（ＡＰ）でバッファに格納されたパケットを受信する。Ｕ−ＡＰＳＤ方式では、ＷＬＡＮクライアントは、アップリンク経由で送信するパケットを保持しているときか、又はダウンリンク経由でパケットを受信することが予測されるときに、ウェイクアップする。「アウェイク」モードになったＷＬＡＮクライアントは、ＷＬＡＮクライアントがスリープモードの間にバッファに格納されたすべてのパケットをＷＬＡＮクライアントに転送するようＡＰに通知し、ＡＰがバッファに格納されたすべてのパケットを送信すると、スリープモードに戻る。
【０００５】
ＡＰＳＤ方式及びＵ−ＡＰＳＤ方式でのモードの切り替えには、必要なウェイクアップ時間を最小限に抑えるために、ＷＬＡＮクライアント及びＷＬＡＮ  ＡＰの両方が関与する。或いは、第３の方式では、ＷＬＡＮクライアントのみを修正する必要がある。この第３の方式の下では、ＷＬＡＮクライアント回路内のコンポーネントの一部が、近傍のＡＰからのＲＦ信号を検知するためにアクティブモードに維持され、ＷＬＡＮクライアント回路の残りの部分は、強力なＷＬＡＮ  ＲＦ信号が検知されるまでスリープモードにおかれる（たとえば、２００４年６月２２日に発行された「Ｍｅｔｈｏｄ  ａｎｄ  Ａｐｐａｒａｔｕｓ  ｆｏｒ  Ｉｎｄｉｃａｔｉｎｇ  ｔｈｅ  Ｐｒｅｓｅｎｃｅ  ｏｆ  ａ  Ｗｉｒｅｌｅｓｓ  Ｌｏｃａｌ  Ａｒｅａ  Ｎｅｔｗｏｒｋ  ｂｙ  Ｄｅｔｅｃｔｉｎｇ  Ｓｉｇｎａｔｕｒｅ  Ｓｅｑｕｅｎｃｅｓ」という名称の米国特許第６７５４１９４号を参照されたい）。
【０００６】
モード切り替え動作自体が大量の電力を消費するため、ワイヤレスＬＡＮ経由で配信する必要があるパケットの数が少ない場合、又はパケット配信がモード切り替えの頻度と同期されていない場合、ＡＰＳＤの下での頻繁なモード切り替えによって消費される電力が無駄になるか、又は結果の応答時間が遅れる可能性がある。Ｕ−ＡＰＳＤ方式の下では、送信するパケットの数が少ない場合、アプリケーションの応答時間が遅れる。たとえば、クライアントが配信する発信パケットを保持するまで、着信ＶｏＩＰ通話をバッファに格納しなければならなくなる。
【０００７】
他の研究活動では、アプリケーションの要件に順応し且つバッテリの利用を適切なレベルに調整するために、アプリケーションに固有の電力利用パターンを使用してプロセッサ速度を予測及び調整することが開示されている。たとえば、Ｊａｓｏｎ  Ｆｌｉｎｎ及びＭ．Ｓａｔｙａｎａｒａｙａｎａｎによる論文「Ｍａｎａｇｉｎｇ  ｂａｔｔｅｒｙ  ｌｉｆｅｔｉｍｅ  ｗｉｔｈ  ｅｎｅｒｇｙ−ａｗａｒｅ  ａｄａｐｔａｔｉｏｎ」、ＡＣＭ  Ｔｒａｎｓａｃｔｉｏｎｓ  ｏｎ  Ｃｏｍｐｕｔｅｒ  Ｓｙｓｔｅｍｓ（ＴＯＣＳ）、ｖ．２２  ｎ．２、ｐ．１３７〜１７９、Ｍａｙ  ２００４を参照されたい。別の例は、Ｐｒｏｃｅｅｄｉｎｇｓ  ｏｆ  ｔｈｅ  Ｆｏｕｒｔｈ  Ａｎｎｕａｌ  ＡＣＭ／ＩＥＥＥ  Ｉｎｔｅｒｎａｔｉｏｎａｌ  Ｃｏｎｆｅｒｅｎｃｅ  ｏｎ  Ｍｏｂｉｌｅ  Ｃｏｍｐｕｔｉｎｇ  ａｎｄ  Ｎｅｔｗｏｒｋｉｎｇ（ＭｏｂｉＣｏｍ）（Ｄａｌｌａｓ、ＴＸ、Ｏｃｔ．１９９８）で公開されているＲｏｂｉｎ  Ｋｒａｖｅｔｓ及びＰ．Ｋｒｉｓｈｎａｎによる論文「Ａｐｐｌｉｃａｔｉｏｎ−ｄｒｉｖｅｎ  ｐｏｗｅｒ  ｍａｎａｇｅｍｅｎｔ  ｆｏｒ  ｍｏｂｉｌｅ  ｃｏｍｍｕｎｉｃａｔｉｏｎ」で見つけることができる。同様に、ＡＩ  Ｔｅｃｈｎｉｃａｌ  Ｒｅｐｏｒｔ、Ｍ．Ｅｎｇ  Ｔｈｅｓｉｓ、Ａｒｔｉｆｉｃｉａｌ  Ｉｎｔｅｌｌｉｇｅｎｃｅ  Ｌａｂｏｒａｔｏｒｙ、ＭＩＴ、Ｍａｙ  ２００２内のＣ．Ｓｔｅｉｎｂａｃｈによる「Ａ  ｒｅｉｎｆｏｒｃｅｍｅｎｔ−ｌｅａｒｎｉｎｇ  ａｐｐｒｏａｃｈ  ｔｏ  ｐｏｗｅｒ  ｍａｎａｇｅｍｅｎｔ」という名称の修士論文（機械工学）では、デバイスの履歴的なバッテリ利用パターンを使用してデバイスの将来の電力利用を予測し、それによって電力モードを適切なレベルに調整することが教示されている。
【０００８】
アプリケーションに固有のデータ又は履歴的な電力要件データを使用して将来の電力要件を予測することは、多くの場合に正確でない可能性がある。さらに、誤った予測により、所与のアプリケーションに非効率的で過剰な電力や誤ったプロセッサ速度が与えられる可能性がある。また、適正な電力消費への調整自体が電力を消費するため、不要な又は頻繁な電力調整により、電力が急速に消耗される。
【０００９】
さらに他の研究活動では、異なる無線インターフェイス間の相互作用が開示されている（たとえば、Ｇ．Ｗｕ、Ｍ．Ｍｉｚｕｎｏ、Ｐ．Ｈａｖｉｎｇａによる論文「ＭＩＲＡＩ  Ａｒｃｈｉｔｅｃｔｕｒｅ  ｆｏｒ  Ｈｅｔｅｒｏｇｅｎｅｏｕｓ  Ｎｅｔｗｏｒｋ」、ＩＥＥＥ  Ｃｏｍｍｕｎｉｃａｔｉｏｎｓ  Ｍａｇａｚｉｎｅ、Ｆｅｂｕｒｕａｒｙ  ２００２を参照されたい）。ＭＩＲＡＩアーキテクチャは、複数の無線アクセスネットワーク（ＲＡＮ）を接続する共通コアネットワークを含む。各ＲＡＮは、同種で統一されていても、異種混合でもよい。ＭＩＲＡＩでは、「基本アクセスネットワーク（ＢＡＮ）」と呼ばれる共通信号チャネルを使用して、さまざまな無線ネットワーク間の調整を行う。ＢＡＮはまた、ロケーション更新情報、ページング、ワイヤレスネットワーク検出、及び異種混合ハンドオフのサポートを提供する。「Ｍｅｔｈｏｄ  ａｎｄ  ａｐｐａｒａｔｕｓ  ｆｏｒ  ｒｅｐｏｒｔｉｎｇ  ＷＬＡＮ  ｃａｐａｂｉｌｉｔｉｅｓ  ｏｆ  ａ  ｄｕａｌ  ｍｏｄｅ  ＧＰＲＳ／ＷＬＡＮ  ｏｒ  ＵＭＴＳ／ＷＬＡＮ  ＷＴＲＵ」という名称の米国特許第６９４０８４４号では、デュアルモードモバイル端末の２つのネットワークインターフェイス間でネットワーク及び端末の機能に関する情報を交換し、最良のインターフェイス及びネットワークを使用してサービスを端末に配信できるようにする方法が提示されている。相互作用に関する他の従来技術には、異型接合ハンドオフがある。たとえば、「Ｍｅｔｈｏｄ  ａｎｄ  ａｐｐａｒａｔｕｓ  ｆｏｒ  ａ  ｔａｒｇｅｔ−ｉｎｉｔｉａｔｅｄ  ｈａｎｄｏｆｆ  ｆｒｏｍ  ａ  ｓｏｕｒｃｅ  ｃｅｌｌｕｌａｒ  ｗｉｒｅｌｅｓｓ  ｎｅｔｗｏｒｋ  ｔｏ  ａ  ｔａｒｇｅｔ  ｎｏｎ−ｃｅｌｌｕｌａｒ  ｗｉｒｅｌｅｓｓ  ｎｅｔｗｏｒｋ」という名称の米国特許第６９３１２４９号では、セルラーネットワークから非セルラーネットワークにハンドオーバーする方法が紹介されている。
【００１０】
しかしＭＩＲＡＩは、概念的なアーキテクチャにとどまっている。ＭＩＲＡＩでは、制御の目的で、専用の共通チャネルを他のすべての無線インターフェイスによって共有する必要がある。現在のデュアルモードハンドセットシステムには、そのような制御目的で使用する専用の共通チャネルが欠如している。さらに、多くのケースでは、セルラーインターフェイス及びＷＬＡＮインターフェイスは、同じコアネットワークを共有しない。
【発明の概要】
【００１１】
セルラーネットワーク及びＷＬＡＮネットワークの両方が利用できる場合、利用者は通常、セルラーネットワークに比べてデータレートが高く、コストが低いという理由で、ＷＬＡＮネットワークを好んで使用する。しかし、ＷＬＡＮネットワークは通常、カバレッジエリアがセルラーネットワークよりも狭い。またＷＬＡＮのカバレッジは、多くの場合、オフィス内、家庭、ホットスポットなどの限られたエリアや不連続なエリアでのみ利用できる。したがって、ＷＬＡＮサービスを使用することのオーバーヘッドコストの１つは、ネットワークの境界又は利用可能性を検出するコストである。ＷＬＡＮネットワークの境界を検出するには、ＷＬＡＮインターフェイスがアクティブでなければならない。デュアルモードハンドセットでは、ＷＬＡＮインターフェイスはセルラーインターフェイスよりもバッテリの電力に対する要求が大きい。シングルモード携帯電話に対するマルチモード又はデュアルモードの携帯電話の優位性を正当化するには、ＷＬＡＮインターフェイスでのエネルギー要件を軽減することが望まれる。
【００１２】
本発明の一実施形態によると、デュアルモードハンドセット（すなわち、セルラーネットワーク及びＷＬＡＮネットワークの両方へのインターフェイスを備えたもの）は、エネルギー効率に優れた方法でＷＬＡＮネットワークを検出する。したがって、本発明では、デュアルモードハンドセットのスタンバイ時間を延長することができる。たとえば、デュアルモードハンドセット内のＷＬＡＮインターフェイスを常にアクティブに維持したり、定期的にアクティブにしたりする代わりに、本発明の一実施形態では、要求に応じてＷＬＡＮインターフェイスをオンにする。つまり、ＷＬＡＮインターフェイスがアクティブになるのは、ＷＬＡＮインターフェイスが通話に必要な場合か、又はＷＬＡＮネットワーク上のアプリケーションに対するメッセージに応答する場合のみである。この実施形態では、セルラーインターフェイスは、ＷＬＡＮインターフェイスのための「常時オン」のプロキシインターフェイスとして機能し、通話又はアプリケーションの最初の１つ又は複数のパケットを配信する。これらの最初のパケットは、たとえば、ＳＩＰベースのＶｏＩＰアプリケーションにおけるＳＩＰ  ＩＮＶＩＴＥメッセージであり得る。これらの最初のパケットを受信すると、セルラーインターフェイスは、ＷＬＡＮインターフェイスをアクティブ化する。次いで、ＷＬＡＮインターフェイスは、使用可能なＷＬＡＮネットワークの近傍のＡＰを検索することができる。そのようなネットワークが見つかると、ＳＩＰ  ＲＥＰＬＹメッセージ及び以降の通信は、ＷＬＡＮリンク上で伝送される。ＷＬＡＮインターフェイスは、通話又はアプリケーションが終了すると、スリープモード又は非アクティブモードに戻ることができる。
【００１３】
本発明では、常時オンでカバレッジが広く低電力なセルラーインターフェイスを、ＷＬＡＮベースの呼び出しの最初の１つ又は複数のパケットに対するＷＬＡＮインターフェイスのプロキシとして利用して、デュアルモードモバイル端末でＷＬＡＮサービスエリアを電力効率に優れた方法で検出できるようにする。この構成の下では、ＷＬＡＮの検出は、通話又は必要な応答が保留中の場合にのみ行われるため、電力消費が大幅に軽減される。ＷＬＡＮを検出するためのモード間の切り替えで消費される電力は、回避される。
【００１４】
本発明は、以下の詳細な説明を添付の図面とともに検討することで、よりよく理解される。
【００１５】
図面間の相互参照を容易にするために、同様の要素には同様の参照番号を付している。
【発明を実施するための最良の形態】
【００１６】
図１は、セルラーネットワーク１０２及びワイヤレス通信ネットワーク１０３へのワイヤレスインターフェイスを備えるモバイル端末１０１を示している。モバイル端末１０１は、インターネットプロトコル（ＩＰ）に対応し、セッション開始プロトコル（ＳＩＰ）ベースのＶｏｉｃｅ−ｏｖｅｒ−ＩＰ（ＶｏＩＰ）通信を実行できる。セルラーネットワーク１０２は、Ｗ−ＣＤＭＡネットワーク、ＣＤＭＡ２０００ネットワーク又はＧＳＭ／ＧＰＲＳネットワークとすることができる。ワイヤレスコンピュータネットワーク１０３は、８０２．１１ａ／ｂ／ｇの下で動作するＷＬＡＮネットワーク、ワイヤレスパーソナルエリアネットワーク（ＷＰＡＮ）（たとえば、Ｂｌｕｅｔｏｏｔｈ）又はワイヤレスメトロエリアネットワーク（ＷＭＡＮ）（たとえば、ＷｉＭａｘネットワーク又は８０２．１６ネットワーク）か、或いは別の短距離用の無償ライセンス又は無許可のワイヤレスネットワークとすることができる。異なるインターフェイスに、異なる識別情報（ＩＤ）を関連付けることができる。たとえばＩＤは、ＳＩＰ  ＩＤ１（１たとえば、ＩＥＴＦ  ＲＦＣ  ３２６１、ＳＩＰ：Ｓｅｓｓｉｏｎ  Ｉｎｉｔｉａｔｉｏｎ  Ｐｒｏｔｏｃｏｌ、２００２を参照されたい）、従来の電話番号、又は別のグローバルな一意の識別情報（たとえば、暗号公開鍵又は証明書）とすることができる。場合によっては、サービスプロバイダは、複数のインターフェイスに同じ共通ＩＤを提供することがある。しかし多くの場合には、デュアルモードハンドセットが所与の通話の処理又はメッセージへの応答に使用するインターフェイスを選択できるようにするために、ＩＤ間のマッピングが必要である。ＳＩＰは、ＶｏＩＰ、ショートメッセージサービス（ＳＭＳ）、プッシュツートーク（ＰＴＴ）などのさまざまなアプリケーションのためのセッションの確立及び管理で幅広く使用されているプロトコルである。ＳＩＰは、インターネットエンジニアリングタスクフォース（ＩＥＴＦ）標準、３ＧＰＰ標準及び３ＧＰＰ２標準として採用されている。従来の電話番号をＩＤとして使用する場合、ＥＮＵＭプロトコル２（２ＩＥＴＦ  ＲＦＣ  ３７６４、Ｅｎｕｍ  Ｓｅｒｖｉｃｅ  Ｒｅｇｉｓｔｒａｔｉｏｎ  ｆｏｒ  Ｓｅｓｓｉｏｎ  Ｉｎｉｔｉａｔｉｏｎ  Ｐｒｏｔｏｃｏｌ  （ＳＩＰ）  Ａｄｄｒｅｓｓｅｓ−ｏｆ−Ｒｅｃｏｒｄ、２００４を参照されたい）を使用して、電話番号をＳＩＰベースの通信に使用できるＳＩＰ  ＩＤに変換できる。電話番号からＳＩＰ  ＩＤへの変換は、たとえば、ＥＮＵＭ対応のＤＮＳサーバを使用して実行できる３（３ＩＥＴＦ  ＲＦＣ  ３７６１、Ｔｈｅ  Ｅ．１６４  ｔｏ  Ｕｎｉｆｏｒｍ  Ｒｅｓｏｕｒｃｅ  Ｉｄｅｎｔｉｆｉｅｒｓ（ＵＲＩ）  Ｄｙｎａｍｉｃ  Ｄｅｌｅｇａｔｉｏｎ  Ｄｉｓｃｏｖｅｒｙ  Ｓｙｓｔｅｍ（ＤＤＤＳ）  Ａｐｐｌｉｃａｔｉｏｎ（ＥＮＵＭ）、２００４。）。別のグローバルな一意の識別情報を使用する場合、ＩＤを一意のＳＩＰ  ＩＤにマップするために、適切な命名変換メカニズムが必要である。
【００１７】
図２は、本発明の一実施形態による、デュアルモードハンドセットの動作を容易にするネットワークアーキテクチャ２００を示している。図２に示されているように、ネットワークアーキテクチャ２００は、セルラーシステム２０６と、広域ネットワーク（たとえば、インターネット）と、ＷＬＡＮ２０７及び２０８とを含む。モバイル端末２０２−１及び２０２−２は、セルラーシステム２０６へのセルラーインターフェイスを備えるとともに、ＷＬＡＮ２０７及び２０８へのワイヤレスＷＬＡＮインターフェイスをそれぞれ備える、デュアルモードハンドセットである。広域ネットワークは、ＳＩＰサーバ２０３、２０４及び２０５と、他の関連するネットワーク要素（図示せず。たとえば、ＤＮＳサーバ、ワイヤレスアクセスポイント及びアクセスルータ）とを含む。セルラーシステム２０６は、いくつかのセルラー基地局を含む。１つ又は複数の対応するホスト（たとえば、発呼側２０１）が、モバイル端末２０２−１及び２０２−２のそれぞれと通信できる。対応するホストは、有線ネットワークホスト或いはシングルモード又はマルチモードのワイヤレスホストでよい。この対応するホストは、ＳＩＰ対応の電話又は従来のＰＳＴＮ電話でよい。対応するホストが従来のＰＳＴＮ電話である場合、ＰＳＴＮ電話ネットワークとＳＩＰネットワークとの間で信号を変換するために、ＰＳＴＮ−ＳＩＰゲートウェイ（図示せず）が必要である。ＳＩＰサーバは、他のＳＩＰサーバのＩＰアドレスを参照したり、ＳＩＰユーザエージェントについてＥＮＵＭプロトコルを使用して電話番号を、その電話番号にサービスを提供するＳＩＰサーバにマップしたりするために、ドメインネームシステム（ＤＮＳ）サーバを使用できる。
【００１８】
本発明の一実施形態によれば、ＳＩＰサーバ２０３〜２０５は、２つのエンドホスト（たとえば、発呼側２０１と、モバイル端末２０２−１及び２０２−２のいずれか）の間のセッションを確立及び管理する。ＳＩＰサーバ２０３〜２０５は、エンドホストの場所を見つけ、２つのエンドホスト間で信号メッセージを中継するが、必要な場合はエンドホスト間でデータメッセージをルーティングすることもできる。加えて、ＳＩＰサーバ２０４はさらに、（ａ）各モバイル端末に関連するセルラーインターフェイスのＳＩＰ  ＩＤの記録を維持し、（ｂ）サービスの提供先である各ＳＩＰ  ＩＤのネットワークインターフェイス状態の記録を維持し、（ｃ）ＳＩＰユーザエージェントと通信してインターフェイス状態を更新し（通知は、たとえばＳＩＰ登録メッセージによって実行できる）、（ｄ）ＷＬＡＮインターフェイスがスリープ状態の場合は、セルラーＳＩＰ  ＩＤ用のＳＩＰサーバにメッセージをリダイレクトする。
【００１９】
モバイル端末２０２−１及び２０２−２はそれぞれ、（ａ）自らのＷＬＡＮ  ＳＩＰサーバに、自らのインターフェイス状態が非アクティブ（すなわち、「スリープ」）であるかアクティブであるかを通知し（通知は、たとえばＳＩＰ登録メッセージによって実行できる）、（ｂ）自らのＳＩＰサーバに、自らのもう一方のワイヤレスインターフェイス（たとえば、セルラー）のＳＩＰ  ＩＤを通知し、（ｃ）要求に応じてＷＬＡＮインターフェイスをスリープ状態とアクティブ状態との間で切り替える（要求応答メカニズムは、ネットワークインターフェイスのデバイスドライバ、ネットワークスタック又はＯＳカーネルプログラムに統合できる）。
【００２０】
図３は、本発明の一実施形態による、ＳＩＰベースの通話を処理するためのプロトコルシーケンスを示している。図２及び図３を参照すると、ＳＩＰベースのＶｏＩＰアプリケーションで、例としてＳＩＰ対応の発呼側２０１が、モバイル端末２０２−１及び２０２−２の一方（仮に、モバイル端末２０２−２とする）との間でＳＩＰセッションを開始している。最初に、発呼側２０１は、発呼側２０１が位置するネットワークにサービスを提供するＳＩＰサーバ（たとえば、ＳＩＰサーバ２０３）のＩＰアドレスを（たとえば、ＤＮＳを通じて）取得する。発呼側２０１は次いで、ＶｏＩＰを使用して、発呼側２０１のＷＬＡＮ  ＩＤ番号でモバイル端末２０２−２を呼び出す。このような呼び出しは、発呼側２０１がＳＩＰサーバ２０３を介し、モバイル端末２０２−２にサービスを提供するＳＩＰサーバ２０４にＳＩＰ  ＩＮＶＩＴＥメッセージを送信することによって開始される（図２ではステップ２２１、図３ではステップ３０１〜３０３として示されている）。モバイル端末２０２−２にサービスを提供するＳＩＰサーバ２０４を識別するために、ＳＩＰサーバ２０３は、ＤＮＳサービス又はＥＮＵＭサービスを使用できる（図３のステップ３０２）。ＳＩＰサーバ２０４は、モバイル端末２０２−２のＷＬＡＮインターフェイスの状態と、モバイル端末２０２のセルラーインターフェイスのＩＤとを追跡する。モバイル端末２０２−２のＷＬＡＮ  ＩＤに宛てられたメッセージについては、インターフェイス状態がモバイル端末２０２−２のＷＬＡＮインターフェイスがアクティブであることを示している場合、メッセージは、モバイル端末２０２−２のＷＬＡＮインターフェイスに直接ルーティングされる。それ以外の場合は、図２及び３に示されているケースのように、メッセージは、モバイル端末２０２−２のセルラーインターフェイスに通じるセルラーネットワークにサービスを提供するＳＩＰサーバ２０５にリダイレクトされる（図２のステップ２２２、及び図３のステップ３０４）。
【００２１】
ＳＩＰサーバ２０５がリダイレクトされたＳＩＰ  ＩＮＶＩＴＥ要求をＳＩＰサーバ２０４から受信するとき、ＳＩＰサーバ２０５は、リダイレクトされたＳＩＰ  ＩＮＶＩＴＥ要求を受諾又は拒否できる。ＳＩＰサーバ２０５が要求を受諾する場合、メッセージはモバイル端末２０２−２のセルラーインターフェイスのＩＤに基づき、セルラーネットワーク２０６上でモバイル端末２０２−２のセルラーインターフェイスに転送される（図２のステップ２２３及び図３のステップ３０５）。セルラーインターフェイス及びＷＬＡＮインターフェイスの両方に同じＩＤが割り当てられている場合、ＳＩＰサーバ２０４及びＳＩＰサーバ２０５は、同じ物理サーバに存在している可能性があり、ＳＩＰ  ＩＮＶＩＴＥメッセージの明示的なリダイレクトは必要ない。その場合でもＳＩＰサーバ２０４は、モバイル端末２０２−２のＷＬＡＮインターフェイスのインターフェイス状態を維持する必要がある。メッセージは、モバイル端末２０２−２のセルラーインターフェイスに転送され、モバイル端末２０２−２のＷＬＡＮインターフェイスに宛てられる。
【００２２】
モバイル端末２０２−２がメッセージを受信するとき、モバイル端末２０２−２は、モバイル端末２０２−２のＷＬＡＮインターフェイスの電源を入れ、スリープ状態からアウェイク状態又はアクティブ状態に移行する。ＷＬＡＮインターフェイスは、近傍のＡＰからのビーコン信号を検索し、ＩＰアドレスを取得しようと試みる（図３のメッセージ交換３０６）。モバイル端末２０２−２のＷＬＡＮインターフェイスがＡＰに関連付けられると、ＷＬＡＮインターフェイスは、ＷＬＡＮインターフェイスの状態がスリープモードからアクティブモードに変わったことをＳＩＰサーバ２０４に通知し（図３のステップ３０７）、ＳＩＰ応答メッセージを発呼側のＳＩＰサーバ２０３経由でＷＬＡＮインターフェイスから発呼側２０１に送信する（図３のステップ３０８及び３０９）。モバイル端末２０２−２と発呼側２０１との間の残りのＳＩＰセッションでのメッセージ交換（制御及びデータを含む）は、モバイル端末２０２−２のＷＬＡＮインターフェイスと、発呼側２０１との間で、ＳＩＰサーバ２０３及び２０４を経由して伝達される（図３のステップ３１０〜３１５）。たとえば、ＳＩＰセッションが終了すると、ＳＩＰ  ＥＸＩＴメッセージ又はＳＩＰ  ＢＹＥメッセージが発呼側２０１に送信されるか又は発呼側２０１から受信される。その時点で、モバイル端末２０２−２は、ＳＩＰサーバ２０４内のモバイル端末２０２−２の状態をしかるべく更新し（すなわち、アクティブモードからスリープモードに更新する。図３のステップ３１６）、その後モバイル端末２０２−２のＷＬＡＮインターフェイスをオフにする。
【００２３】
図３のステップ３１６で、モバイル端末２０２−２が近傍のＡＰを見つけられない場合、ＳＩＰ応答メッセージと、モバイル端末２０２−２と発呼側２０１との間の以降のメッセージ交換とは、モバイル端末２０２−２のセルラーインターフェイスを通じてすべて転送される。或いは、発呼側２０１のローカルポリシー構成によっては、モバイル端末２０２−２は、到達不能な宛先としてドロップアウトすることがある。
【００２４】
図４は、モバイル端末２０２−２が位置するＷＬＡＮネットワークにＳＩＰサービスを提供するＳＩＰサーバ２０４の手続き４００を示している。上述したように、ＳＩＰサーバ２０４は、ＳＩＰサーバ２０４に関連する各モバイル端末の電力状態を維持し、他のＳＩＰサーバにメッセージをリダイレクトする。ＳＩＰサーバ２０４がＳＩＰ  ＩＮＶＩＴＥメッセージを受信すると（ステップ４０１）、ＳＩＰサーバ２０４は、ＳＩＰ  ＩＮＶＩＴＥメッセージがＳＩＰサーバ２０４に関連する有効なＳＩＰ  ＩＤ（図４ではＩＤｗｌａｎとして示されている）に宛てられていることを確認する（ステップ４０２）。ＳＩＰ  ＩＤが有効なＩＤではない場合、ＳＩＰ  ＩＮＶＩＴＥメッセージは、すみやかに破棄されるか、又は拒否される（ステップ４０３）。ＩＤｗｌａｎが確認されると、サーバ２０４は、ＩＤｗｌａｎに関連するＷＬＡＮインターフェイスの状態を調べる（ステップ４０４）。一実施形態では、ＩＤｗｌａｎのＷＬＡＮインターフェイスの状態は、「スリープ」又は「アクティブ」のいずれかになり得る。状態がアクティブの場合、ＳＩＰサーバ２０４は、ＩＤｗｌａｎに関連するＩＰアドレスにメッセージを配信する（ステップ４０５）。それ以外の場合（すなわち、状態が「スリープ」の場合）、ＳＩＰサーバ２０４は、モバイル端末２０２−２のセルラーＩＤを参照し（ステップ４０６。図４ではＩＤｐｓとして示されている）、セルラーネットワークにサービスを提供するＳＩＰサーバ２０５にメッセージをリダイレクトする（ステップ４０７）。
【００２５】
図５は、セルラーネットワーク２０６にＳＩＰサービスを提供するＳＩＰサーバ２０５の手続き５００を示しており、このセルラーネットワーク２０６では、モバイル端末２０２−２が、ＳＩＰメッセージを他のＳＩＰサーバからモバイル端末２０２−２に中継するサービスにサブスクライブする。ＳＩＰサーバ２０５が、リダイレクトされたメッセージを受信した後（ステップ５０１）、ＳＩＰサーバ２０５は、ＩＤが有効であるか（すなわちＩＤが、サーバ２０５がサービスを提供するＩＤであるか）をステップ５０２で確認する。さらに、ＳＩＰサーバ２０５は、リダイレクトされたメッセージの送信元を調べることもある。たとえば、送信元（すなわち、ＳＩＰサーバ２０４）がパートナープロバイダのものである場合、ＳＩＰ２０５は、要求を受諾できる（ステップ５０３）。それ以外の場合、すなわちリダイレクトされたメッセージが、不明のプロバイダ又は競合相手のプロバイダからのものである場合、ＳＩＰサーバ２０５は、要求を拒否できる。要求が受諾された場合（ステップ５０５）、リダイレクトされたメッセージは、セルラーネットワーク２０６経由でモバイル端末２０２−２に配信される。
【００２６】
図６は、モバイル端末２０２−２のＷＬＡＮインターフェイスを、セルラーインターフェイスからいつ、どのようにしてアクティブ状態にするかを判定するための、デュアルモードモバイル端末２０２−２内の手続き６００を示している。一実施形態では、手続き６００は、モバイル端末２０２−２のセルラーインターフェイスのデバイスドライバプログラムに統合できる。ＳＩＰセッションの最初のメッセージ（たとえば、ＳＩＰ  ＩＮＶＩＴＥ）がセルラーインターフェイスに受信されると（ステップ６０１）、モバイル端末２０２−２は、そのメッセージがモバイル端末２０２−２のＷＬＡＮインターフェイスに宛てられているかどうかをステップ６０２で調べる。宛てられている場合（すなわち、ステップ６０３）、モバイル端末２０２−２は、ＷＬＡＮインターフェイスがスリープ状態であれば、ＷＬＡＮインターフェイスをオンにし、近傍のＷＬＡＮネットワークを検索する（ステップ６０４）。モバイル端末２０２−２がＷＬＡＮネットワークを見つけて、そのＷＬＡＮネットワークの使用を許可されていて（ステップ６０５）、モバイル端末２０２−２が通話を受諾すると決定した場合（ステップ６０６）、モバイル端末２０２−２は、モバイル端末２０２−２のＷＬＡＮインターフェイスのＩＰアドレス及びインターフェイス状態を更新するために、ＳＩＰ登録メッセージをワイヤレスＬＡＮ経由でモバイル端末２０２−２のＳＩＰサーバ（すなわち、ＳＩＰサーバ２０４）に送信する。ＳＩＰ応答メッセージ及び会話は、ワイヤレスＬＡＮネットワーク上で配信される（ステップ６０８）。ステップ６０４で適切なＷＬＡＮ  ＡＰが見つからない場合、又は端末２０２−２が通話に応答しないと判断した場合（ステップ６１２）、モバイル端末２０２−２のＷＬＡＮインターフェイスはオフにされる（すなわち、「スリープ」モードにされる。ステップ６１２）。利用者は、ＷＬＡＮネットワークが利用できない場合には、代わりにセルラーインターフェイス上で通話を受諾するか否かを判定するよう促されるか（ステップ６１１）、又は会話を拒否できる（ステップ６１３）。
【００２７】
図７は、ＷＬＡＮインターフェイスをいつ、どのようにしてスリープモードに戻すかを判定する、デュアルモード端末２０２−２内の手続き７００を示している。一実施形態では、手続き７００は、モバイル端末のＷＬＡＮインターフェイスのデバイスドライバプログラムに統合できる。モバイル端末２０２−２がセッションの最後のメッセージを受信又は送信すると（たとえば、ＳＩＰ  ＥＸＩＴ又はＢＹＥメッセージ。ステップ７０２）、モバイル端末２０２−２は、モバイル端末２０２−２のＷＬＡＮインターフェイスにサービスを提供するＳＩＰサーバ２０４にＷＬＡＮネットワークを経由してＳＩＰ登録メッセージを送信してモバイル端末２０２−２のネットワーク状態を更新し（「スリープ」に更新。ステップ７０３）、その後ＷＬＡＮインターフェイスをオフにする（ステップ７０４）。
【００２８】
上述した詳細な説明は、本発明の具体的な実施形態を例示するために提供されており、限定を意図したものではない。本発明の範囲内で多数の変型及び変更が可能である。本発明は、添付の特許請求の範囲内で開示される。
【図面の簡単な説明】
【００２９】
【図１】セルラーネットワーク１０２及びワイヤレスコンピュータネットワーク１０３への２つのワイヤレスインターフェイスを備えるモバイル端末１０１を示す図である。
【図２】本発明の一実施形態による、デュアルモードハンドセットの動作を容易にするネットワークアーキテクチャ２００を示す図である。
【図３】本発明の一実施形態による、ＳＩＰベースの通話を処理するためのプロトコルシーケンスを示す図である。
【図４】モバイル端末２０２−２が位置するＷＬＡＮネットワークにＳＩＰサービスを提供するＳＩＰサーバ２０４によって実行される手続き４００を示す図である。
【図５】セルラーネットワーク２０６にＳＩＰサービスを提供するＳＩＰサーバ２０５の手続き５００を示す図であり、このセルラーネットワーク２０６では、モバイル端末２０２−２が、ＳＩＰメッセージを他のＳＩＰサーバからモバイル端末２０２−２に中継するサービスにサブスクライブする。
【図６】モバイル端末２０２−２のＷＬＡＮインターフェイスをセルラーインターフェイスからいつ、どのようにしてアクティブ状態にするかを判定するための、デュアルモードモバイル端末２０２−２内の手続き６００を示す図である。
【図７】ＷＬＡＮインターフェイスをいつ、どのようにしてスリープモードに戻すかを判定する、デュアルモード端末２０２−２内の手続き７００を示す図である。
【図１】
2009521879.tif 000003
【図２】
2009521879.tif 000004
【図３】
2009521879.tif 000005
【図４】
2009521879.tif 000006
【図５】
2009521879.tif 000007
【図６】
2009521879.tif 000008
【図７】
2009521879.tif 000009
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
第１ネットワークに接続するための第１ワイヤレスインターフェイスと、第２ネットワークに接続するための第２ワイヤレスインターフェイスとを有する電力効率に優れた通信デバイスのための方法であって、
前記第１ワイヤレスインターフェイスを非アクティブ化するステップと、
前記第２ネットワーク上の前記第２ワイヤレスインターフェイスで、前記第１ワイヤレスインターフェイスを指定するデータパケットを受信するステップと、
前記第１ワイヤレスインターフェイスをアクティブ化するステップと、
前記第１インターフェイスを前記第１ネットワークに接続するステップと、
前記第１ネットワーク上の前記第１ワイヤレスインターフェイスを通じて、前記データパケットに応答するステップと
を含む方法。
【請求項２】
前記データパケットが、デジタルテレフォニーに関連するデータパケットである、請求項１に記載の方法。
【請求項３】
前記第１ワイヤレスインターフェイスをアクティブ化する前記ステップの後に、前記第１ネットワーク上で通話を実行するステップをさらに含む、請求項２に記載の方法。
【請求項４】
前記第１インターフェイスを前記第１ネットワークに接続するステップが、
前記第１ネットワークのアクセスポイントを検索するステップと、
前記アクセスポイントからインターネットプロトコルアドレスを取得するステップと
を含む、請求項１に記載の方法。
【請求項５】
前記第２ネットワークが携帯電話ネットワークを含み、前記データパケットが、前記携帯電話ネットワークにＳＩＰサービスを提供するＳＩＰサーバによって前記第２ワイヤレスインターフェイスにルーティングされる、請求項１に記載の方法。
【請求項６】
前記第１ワイヤレスインターフェイスはＳＩＰサーバと通信し、
前記ＳＩＰサーバに前記第２インターフェイスの識別情報を提供するステップをさらに含む、請求項５に記載の方法。
【請求項７】
前記第１ワイヤレスインターフェイスを非アクティブ化するステップが、
前記第１ワイヤレスインターフェイスが動作の非アクティブモードに入ろうとしていることを示すメッセージを前記ＳＩＰサーバに送信するステップと、
前記第１ワイヤレスインターフェイスの電源を切るステップと
を含む、請求項６に記載の方法。
【請求項８】
第１ネットワークに接続するための第１ワイヤレスインターフェイスと、第２ネットワークに接続するための第２ワイヤレスインターフェイスとを有する通信デバイスにＳＩＰサービスを提供するための方法であって、
アクティブ状態及び非アクティブ状態のうちの一方である前記通信デバイスの電力状態を保持するステップと、
前記第１インターフェイスへの接続を求める要求を表すメッセージを受信するステップと、
保持される前記電力状態から、前記通信デバイスが前記アクティブ状態であるか否かを判定するステップと、
前記通信デバイスが前記アクティブ状態である場合に、前記第１ワイヤレスインターフェイスに前記メッセージを配信し、前記通信デバイスが前記アクティブ状態ではない場合に、前記第２ワイヤレスインターフェイスにＳＩＰサービスを提供するサーバに前記メッセージを転送するステップと
を含む方法。
【請求項９】
前記第２ワイヤレスインターフェイスの識別コードを保持するステップをさらに含む、請求項８に記載の方法。
【請求項１０】
前記識別コードを使用して、前記第２ワイヤレスインターフェイスにＳＩＰサービスを提供する前記サーバを識別する、請求項９に記載の方法。
【請求項１１】
通信サービスを提供するシステムであって、
第２ワイヤレスインターフェイスを有する通信デバイスにより、第１ワイヤレスインターフェイスを使用してアクセス可能な第１通信ネットワークと、
前記通信デバイスにより、前記第２ワイヤレスインターフェイスを使用してアクセス可能な第２通信ネットワークであって、
前記第２通信ネットワーク上で前記通信デバイスに通信サービスを提供し、前記通信デバイスの前記第２ワイヤレスインターフェイスの電力状態と、前記通信デバイスの前記第１ワイヤレスインターフェイスの識別情報とを保持する第１サーバと、
前記第１通信ネットワーク上で前記通信デバイスに通信サービスを提供する第２サーバと
を備える第２通信ネットワークと
を具備し、
前記第１サーバが、通信デバイスの前記第２ワイヤレスインターフェイスによって受信されるように指定されたメッセージを受信するときに、前記第１サーバが、前記通信デバイスの前記第２ワイヤレスインターフェイスの前記電力状態を判定し、前記第２ワイヤレスインターフェイスの前記電力状態が非アクティブ状態の場合は、前記第１サーバが、前記第１ワイヤレスインターフェイスの識別情報を使用して前記メッセージを前記第２サーバに転送する、
システム。
【請求項１２】
前記第１サーバ及び前記第２サーバがＳＩＰサーバを備える、請求項１１に記載のシステム。
【請求項１３】
前記第１通信ネットワークが携帯電話ネットワークを含む、請求項１１に記載のシステム。
【請求項１４】
前記通信サービスがテレフォニーを含む、請求項１１に記載のシステム。
【請求項１５】
前記識別情報がＰＳＴＮ電話番号を含む、請求項１１に記載のシステム。
【請求項１６】
ＰＳＴＮ電話番号を前記第１サーバのインターネットプロトコルアドレスに変換するサーバを前記第２通信ネットワーク上にさらに含む、請求項１５に記載のシステム。
【請求項１７】
アクティブ化及び非アクティブ化することが可能である、第１ネットワークに接続するための第１ワイヤレスインターフェイスと、
第２ネットワークに接続するための第２ワイヤレスインターフェイスと、
前記第１ワイヤレスインターフェイスを指定するデータパケットが前記第２ワイヤレスインターフェイスで受信されたときに、
前記第１ワイヤレスインターフェイスをアクティブ化するステップと、
前記第１インターフェイスを前記第１ネットワークに接続するステップと、
前記第１ネットワーク上の前記第１ワイヤレスインターフェイスを通じて前記データパケットに応答するステップと
を実行する手段と
を備える通信デバイス。
【請求項１８】
前記データパケットが、デジタルテレフォニーに関連するデータパケットである、請求項１７に記載の通信デバイス。
【請求項１９】
前記第１ワイヤレスインターフェイスをアクティブ化する前記ステップの後に、前記第１ネットワーク上で通話を実行するための手段をさらに備える、請求項１８に記載の通信デバイス。
【請求項２０】
前記第１インターフェイスを前記第１ネットワークに接続するステップが、
前記第１ネットワークのアクセスポイントを検索するステップと、
前記アクセスポイントからインターネットプロトコルアドレスを取得するステップと
を含む、請求項１に記載の通信デバイス。
【請求項２１】
前記第２ネットワークが携帯電話ネットワークを含み、前記データパケットが、前記携帯電話ネットワークにＳＩＰサービスを提供するＳＩＰサーバによって前記第２ワイヤレスインターフェイスにルーティングされる、請求項１８に記載の通信デバイス。
【請求項２２】
前記第１ワイヤレスインターフェイスがＳＩＰサーバと通信し、前記ＳＩＰサーバに前記第２インターフェイスの識別情報が提供される、請求項２１に記載の通信デバイス。
【請求項２３】
前記手段が、
前記第１ワイヤレスインターフェイスが動作の非アクティブモードに入ろうとしていることを示すメッセージを前記ＳＩＰサーバに送信するステップと、
前記第１ワイヤレスインターフェイスの電源を切るステップと
をさらに実行する、請求項２２に記載の通信デバイス。
【請求項２４】
第１ネットワークに接続するための第１ワイヤレスインターフェイスと、第２ネットワークに接続するための第２ワイヤレスインターフェイスとを有する通信デバイスにＳＩＰサービスを提供するためのサーバであって、
アクティブ状態及び非アクティブ状態のうちの一方である前記通信デバイスの電力状態を保持するための手段と、
前記第１インターフェイスへの接続を求める要求を表すメッセージを受信するための手段と、
保持される前記電力状態から、前記通信デバイスが前記アクティブ状態であるか否かを判定するための手段と、
前記通信デバイスが前記アクティブ状態である場合に、前記第１ワイヤレスインターフェイスに前記メッセージを配信するための手段と、
前記通信デバイスが前記アクティブ状態ではない場合に、前記第２ワイヤレスインターフェイスにＳＩＰサービスを提供するサーバに前記メッセージを転送するための手段と
を備えるサーバ。
【請求項２５】
前記第２ワイヤレスインターフェイスの識別コードを保持するための手段をさらに備える、請求項２４に記載のサーバ。
【請求項２６】
前記識別コードを使用して、前記第２ワイヤレスインターフェイスにＳＩＰサービスを提供する前記サーバを識別するための手段をさらに備える、請求項２５に記載のサーバ。
【国際調査報告】
2009521879.tif 000010